【事件の表示】
　特願２０１６−　７６１７７「電気自動車、充電装置及び制御方法」拒絶査定不服審判事件〔平成２８年　９月１５日出願公開、特開２０１６−１６７９７５〕について、次のとおり審決する。
【結　論】
　本件審判の請求は、成り立たない。
【理　由】
第１　手続の経緯
　本願は、平成２３年７月２９日に出願した特願２０１１−１６６２７５号の一部を平成２８年４月５日に新たな特許出願としたものであって、平成２８年１２月１４日付けで拒絶理由が通知され、平成２９年２月２０日付けで手続補正がなされ、同年４月２４日付けで拒絶理由が通知され、同年７月１０日付けで手続補正がなされ、同年８月８日付けで拒絶査定がなされ、これに対して、同年１１月１５日に拒絶査定不服の審判が請求され、同時に、手続補正がなされた。
　その後、当審において、平成３０年１２月１８日付けで拒絶理由が通知され、平成３１年２月１８日付けで手続補正がなされたものである。
第２　本願発明
　本願の請求項１ないし８に係る発明は、平成３１年２月１８日付けの手続補正により補正された特許請求の範囲の請求項１ないし８に記載された事項により特定されるものであるところ、請求項２に係る発明（以下、「本願発明」という。）は次のとおりのものである。
「【請求項２】
　蓄電池と、
　低圧受電設備と、
　前記蓄電池及び前記低圧受電設備から供給される電力を管理する電力管理装置と、
　を備えた充電システムの充電装置であって、
　前記充電装置はコンピュータを搭載し、
　前記コンピュータは、
　前記蓄電池及び前記低圧受電設備から供給され得る電力の総和を示す電力データに基づき、前記電力管理装置により算出された前記充電装置の供給可能出力を示す電力値としての供給可能出力データを電気自動車へ送信し、
　送信した前記供給可能出力データによって示される前記充電装置の供給可能出力内であって、且つ、充電に必要な電流値を示す電流値データを前記電気自動車から受信し、
　前記電流値データによって示される電流値による電力を、前記電気自動車に充電させる
　充電装置。」
第３　当審において通知した拒絶の理由の概要
　当審において平成３０年１２月１８日付けで通知した拒絶の理由は、請求項２に係る発明についての理由を含むものであって、その概要は、次のとおりである。
　本件出願の請求項２に係る発明は、その出願前日本国内又は外国において頒布された下記の引用文献１に記載された発明及び引用文献３に記載された事項並びに周知技術に基づいて、その出願前にその発明の属する技術の分野における通常の知識を有する者が容易に発明をすることができたものであるから、特許法第２９条第２項の規定により特許を受けることができない。
　　　　　　記
１．特開２０１１−１３０６４６号公報 
２．本田一晃，５０ｋＷ大容量急速充電器の設計技術，グリーン・エレクトロニクスＮｏ４（２０１１），ＣＱ出版社（周知技術を示す文献） 
３．特開２０１１−１１４９６１号公報 
第４　引用文献
１．引用文献１
　当審の拒絶理由に引用された特開２０１１−１３０６４６号公報（以下、「引用文献１」という。）には、「給電装置及びそれを用いた給電システム」に関して、図面とともに以下の記載がある。（なお、下線は当審で付与した。）
（１）「【００２１】
　
給電装置１は、
電気自動車Ｃへの供給電力を設定する電源制御回路１１と
電源制御回路１１で設定された供給電力を電気自動車Ｃに供給するＤＣ／ＤＣコンバータ１３
を備えている。
【００２２】
　
直流分電盤２は、
蓄電池７から供給される直流電力を所定の直流電力
に変換するＤＣ／ＤＣコンバータ２１と
商用交流電源ＡＣから供給される交流電力を所定の直流電力
に変換するＡＣ／ＤＣコンバータ２３と
を備えており、各コンバータ２１〜２３から供給される直流電力は、
給電装置１に供給される
【００２３】
　
制御装置３は、直流分電盤２から出力される直流電力量を制御するための装置であり、
ＤＣ／ＤＣコンバータ２１
およびＡＣ／ＤＣコンバータ２３それぞれの給電割合を設定する
（２）「【００２５】
　給電対象である
電気自動車Ｃは、
給電装置１から供給される直流電力
を蓄電するための蓄電池（蓄電部）８４
を備えている
【００２６】
　ここで、本実施形態の給電システムでは、電気自動車Ｃ側から当該電気自動車Ｃが対応する給電電圧および給電電流に関する給電情報が送信されるようになっており、給電装置１側では信号通信回路１２によりこの給電情報を取得する。さらに、給電装置１では、信号通信回路１２で取得した給電情報が電源制御回路１１に入力され、電源制御回路１１ではこの給電情報と、制御装置３から送信される直流分電盤２の給電能力とを比較して、電気自動車Ｃへの給電電圧および給電電流を設定する。そして、
電源制御回路１１は、設定した給電電圧および給電電流に基づいてＤＣ／ＤＣコンバータ１３を制御し、所望の直流電力を電気自動車Ｃに供給する
（３）「【００２８】
　次に、本給電システムの動作について説明する。給電装置１の給電用コネクタ１５を電気自動車Ｃの自動車側コネクタ８５に接続すると、
電気自動車Ｃから給電装置１に対して上記の給電情報が送信され、さらに制御装置３からは給電装置１に対して直流分電盤２の給電能力が送信される
上記の給電情報および直流分電盤２の給電能力を受け取った給電装置１では、電源制御回路１１において両者が比較され、直流分電盤２の給電能力を超えない範囲で、供給する直流電力（給電電圧および給電電流）が設定される
電源制御回路１１は、ＤＣ／ＤＣコンバータ１３を制御して設定した給電電圧および給電電流の直流電力を電気自動車Ｃに供給する
ア．上記（１）によれば、給電装置１は、電気自動車Ｃへの供給電力を設定する電源制御回路１１と、電源制御回路１１で設定された供給電力を電気自動車Ｃに供給するＤＣ／ＤＣコンバータ１３を備えている。
　また、上記（１）によれば、直流分電盤２は、蓄電池７から供給される直流電力を所定の直流電力に変換するＤＣ／ＤＣコンバータ２１と、商用交流電源ＡＣから供給される交流電力を所定の直流電力に変換するＡＣ／ＤＣコンバータ２３とを備えており、各コンバータ２１、２３から供給される直流電力は、給電装置１に供給される。このことから、給電装置１は、直流分電盤２から供給された直流電力を電気自動車Ｃに供給するものである。
イ．上記（３）によれば、電気自動車Ｃから給電装置１に対して上記の給電情報が送信され、さらに制御装置３からは給電装置１に対して直流分電盤２の給電能力が送信され、上記の給電情報および直流分電盤２の給電能力を受け取った給電装置１では、電源制御回路１１において両者が比較され、直流分電盤２の給電能力を超えない範囲で、供給する直流電力（給電電圧および給電電流）が設定される。また、電源制御回路１１は、ＤＣ／ＤＣコンバータ１３を制御して設定した給電電圧および給電電流の直流電力を電気自動車Ｃに供給する。さらに、上記（２）によれば、電源制御回路１１は、設定した給電電圧および給電電流に基づいてＤＣ／ＤＣコンバータ１３を制御し、所望の直流電力を電気自動車Ｃに供給する。これらのことから、給電装置１は、電気自動車Ｃから送信された給電情報と、制御装置３から送信された直流分電盤２の給電能力とを、電源制御回路１１において比較し、直流分電盤２の給電能力を超えない範囲で、給電電圧及び給電電流により直流電力を設定するものであって、電源制御回路１１によって、設定した給電電圧及び給電電流に基づきＤＣ／ＤＣコンバータ１３を制御し、直流電力を電気自動車Ｃへ供給するものである。
ウ．上記（１）によれば、直流分電盤２は、蓄電池７から供給される直流電力を所定の直流電力に変換するＤＣ／ＤＣコンバータ２１と、商用交流電源ＡＣから供給される交流電力を所定の直流電力に変換するＡＣ／ＤＣコンバータ２３とを備えており、各コンバータ２１、２３から供給される直流電力は、給電装置１に供給される。このことから、直流分電盤２は、蓄電池７から供給される直流電力を、ＤＣ／ＤＣコンバータ２１によって所定の直流電力に変換し、商用交流の電源から供給される交流電力を、ＡＣ／ＤＣコンバータ２３によって所定の直流電力に変換し、各コンバータ２１、２３から供給される直流電力を給電装置１に供給するものである。
エ．上記（１）によれば、制御装置３は、直流分電盤２から出力される直流電力量を制御するための装置であり、ＤＣ／ＤＣコンバータ２１及びＡＣ／ＤＣコンバータ２３それぞれの給電割合を設定するものである。
オ．上記（２）によれば、電気自動車Ｃは、給電装置１から直流電力が供給されて蓄電池８４を充電するものである。
　したがって、上記（１）ないし（３）の記載事項及び図面並びに上記ア．ないしオ．の事項を総合勘案すると、引用文献１には、次の発明（以下、「引用発明」という。）が記載されている。
「電気自動車Ｃへの供給電力を設定する電源制御回路１１と、電源制御回路１１で設定された供給電力を電気自動車Ｃに供給するＤＣ／ＤＣコンバータ１３を備え、直流分電盤２から供給された直流電力を電気自動車Ｃに供給する給電装置１であって、
　電気自動車Ｃから送信された給電情報と、制御装置３から送信された直流分電盤２の給電能力とを、電源制御回路１１において比較し、直流分電盤２の給電能力を超えない範囲で、給電電圧及び給電電流により直流電力を設定するものであって、電源制御回路１１によって、設定した給電電圧及び給電電流に基づきＤＣ／ＤＣコンバータ１３を制御し、直流電力を電気自動車Ｃへ供給する
　ここで、直流分電盤２は、蓄電池７から供給される直流電力を、ＤＣ／ＤＣコンバータ２１によって所定の直流電力に変換し、商用交流の電源から供給される交流電力を、ＡＣ／ＤＣコンバータ２３によって所定の直流電力に変換し、各コンバータ２１、２３から供給される直流電力を給電装置１に供給するものであり、
　制御装置３は、直流分電盤２から出力される直流電力量を制御するためものであり、ＤＣ／ＤＣコンバータ２１及びＡＣ／ＤＣコンバータ２３それぞれの給電割合を設定するものであり、
　電気自動車Ｃは、給電装置１から直流電力が供給されて蓄電池８４を充電するものである
　給電装置１。」 
２．引用文献３
　当審の拒絶理由に引用された特開２０１１−１１４９６１号公報（以下、「引用文献３」という。）には、「充電システム」に関して、図面とともに以下の記載がある。（なお、下線は当審で付与した。）
（１）「【００４５】
　このようにして
充電器１００側の充電条件が決定すると、制御部１０６は、充電停止電圧および充電停止時間と、充電器１００が供給可能な最大出力電流値とを含む充電器情報を、通信用ライン１０１２を介して電気自動車２００に送信し
（２）「【００７０】
　その後、制御部２０５は、車載バッテリ２０３の電圧等を監視しながら、所定のインターバルで、通信部２０４および通信用ライン２０１２を介して充電器１００に充電電流指示値を送信する（Ｓ２０８）。具体的には、
制御部２０５は、
車載バッテリ２０３の電圧値と予め定められた充電パターン等とに基づき、充電条件に含まれる充電電流上限値以下の電流値を充電電流指示値に決定し、この充電電流指示値を充電器１００に送信する
（３）「【００８０】
 　一方、
制御部２０５が、
通信部２０４、通信用ライン２０１２を介して、充電器１００から充電器情報を受信する
充電器情報に含まれる最大印加可能時間および最大印加可能電圧値が適正な値であるか否かをチェックする
最大印加可能時間および最大印加可能電圧値が適正な値であれば、制御部２０５は、車載バッテリ２０３が充電器１００に適合すると判断する
充電器情報に含まれる最大出力電流値と、車載バッテリ２０３に印加可能な最大電流値
とを比較し
、これらのうち値の小さな電流値を充電電流上限値として設定する。
（４）「【００８９】
　車載バッテリ２０３の充電中、
電気自動車２００では、制御部２０５が、
この充電電流指示値を
充電器１００に送信する
充電器１００では、制御部１０６が、
送られてくる充電電流指示値にしたがって、充電用ライン１０１１に流れる充電電流を制御する
ア．上記（１）によれば、充電器１００側の充電条件が決定すると、制御部１０６は充電器情報を電気自動車２００に送信している。また、上記（３）によれば、制御部２０５は、充電器１００から充電器情報を受信している。これらのことから、充電器１００の制御部１０６が、充電器情報を電気自動車２００に送信している。
イ．上記（１）によれば、制御部１０６は、充電停止電圧および充電停止時間と、充電器１００が供給可能な最大出力電流値とを含む充電器情報を、電気自動車２００に送信している。また、上記（３）によれば、制御部２０５が、充電器１００から充電器情報を受信すると、充電器情報に含まれる最大印加可能時間および最大印加可能電圧値が適正な値であるか否かをチェックする。さらに、充電器情報に含まれる最大出力電流値と、車載バッテリ２０３に印加可能な最大電流値（最大印加可能電流値）とを比較する。ここで、充電器１００から送信される充電器情報には、「充電停止電圧」、「充電停止時間」、「最大出力電流値」が含まれ、一方、電気自動車２００で受信する充電器情報には、「最大印加可能時間」、「最大印加可能電圧値」、「最大出力電流値」が含まれているが、同じ充電器情報が送受信されていることを考慮すると、送信される「充電停止電圧」、「充電停止時間」、と、受信される「最大印加可能電圧」、「最大印加可能時間」は、名称は異なるが両者は同じ情報であるといえる。これらのこと及び上記ア．も踏まえると、充電器１００の制御部１０６が、最大印加可能電圧値及び供給可能な最大出力電流値が含まれる充電器情報を、電気自動車２００に送信している。
ウ．上記（３）によれば、制御部２０５が、充電器情報に含まれる最大印加可能電圧値が適正な値であるか否かをチェックする。また、最大印加可能電圧値が適正な値であれば、制御部２０５は、車載バッテリ２０３が充電器１００に適合すると判断する。これらのこと及び上記イ．から、電気自動車２００の制御部２０５において、充電器情報に含まれる最大印加電圧値が適正な値であれば、車載バッテリ２０３が充電器１００に適合すると判断している。
エ．上記（３）によれば、充電器情報に含まれる最大出力電流値と、車載バッテリ２０３に印加可能な最大電流値とを比較し、これらのうち値の小さな電流値を充電電流上限値として設定する。
オ．上記（２）によれば、制御部２０５は、車載バッテリ２０３の電圧値と予め定められた充電パターン等とに基づき、充電条件に含まれる充電電流上限値以下の電流値を充電電流指示値に決定し、この充電電流指示値を充電器１００に送信する。
カ．上記（４）によれば、電気自動車２００では、制御部２０５が充電電流指示値を充電器１００に送信する。さらに、充電器１００では、制御部１０６が送られてくる充電電流指示値にしたがって、充電用ライン１０１１に流れる充電電流を制御する。これらのことから、充電器１００の制御部１０６は、充電電流指示値を電気自動車２００から受信している。また、充電電流指示値は、充電電流を制御する値である。
　したがって、上記（１）ないし（５）の記載事項及び図面並びに上記ア．ないしカ．の事項を総合勘案すると、引用文献３には、次の事項が記載されている。
「充電システムにおいて、充電器１００の制御部１０６が、最大印加可能電圧値及び供給可能な最大出力電流値が含まれる充電器情報を電気自動車２００に送信し、電気自動車２００の制御部２０５において、充電器情報に含まれる最大印加電圧値が適正な値であれば、車載バッテリ２０３が充電器１００に適合すると判断し、充電器情報に含まれる最大出力電流値と、車載バッテリ２０３に印加可能な最大電流値とを比較し、これらのうち値の小さな電流値を充電電流上限値として設定し、そして車載バッテリ２０３の電圧値と予め定められた充電パターン等に基づき、充電電流上限値以下の電流値を充電電流指示値に決定し、さらに、充電器１００の制御部１０６が、充電電流を制御する充電電流指示値を電気自動車２００から受信すること。」
第５　対比・判断
１．対比
　本願発明と引用発明とを対比する。
（１）引用発明の「蓄電池７」は、本願発明の「蓄電池」に相当する。また、引用発明の「蓄電池７から供給される」「電力」は、本願発明の「蓄電池から供給される電力」に相当する。
（２）引用発明は、商用交流の電源から電力が供給されている。そのため、電力を供給している「電源」が、本願発明は「低圧受電設備」であるのに対し、引用発明は、その旨特定されていない点で相違する。
（３）引用発明の「制御装置３」は、「直流分電盤２から出力される電力」を制御するものである。そして、この「直流分電盤２から出力される電力」とは、蓄電池７から供給される電力及び電源から供給される電力のことであるから、引用発明の「制御装置３」は、本願発明の「電力管理装置」に相当する。
（４）引用発明の「電気自動車Ｃ」は、本願発明の「電気自動車」に相当する。
（５）引用発明の「給電装置１」は、電気自動車Ｃに直流電力を供給し、電気自動車Ｃの蓄電池８４を充電させるものであるから、本願発明の「充電装置」と引用発明の「給電装置１」は、「電力」を「電気自動車に充電させる」点で共通する。
（６）引用発明は、蓄電池７から供給される電力を、ＤＣ／ＤＣコンバータ２１によって所定の直流電力に変換して電力を供給し、また、商用交流の電源から供給される電力を、ＡＣ／ＤＣコンバータ２３によって所定の直流電力に変換し電力を供給するものであるから、「ＤＣ／ＤＣコンバータ２１」から供給される電力及び「ＡＣ／ＤＣコンバータ２３」から供給される電力は、それぞれ本願発明の「蓄電池から供給され得る電力」及び電源から「供給され得る電力」に相当する。
（７）引用発明の「制御装置３」によって、直流分電盤２の「ＤＣ／ＤＣコンバータ２１」から供給される電力及び「ＡＣ／ＤＣコンバータ２３」から供給される電力のそれぞれの給電割合が設定され、直流分電盤２から出力される電力が制御される。このことから、直流分電盤２から出力される電力は、直流分電盤２の「ＤＣ／ＤＣコンバータ２１」から供給される電力及び「ＡＣ／ＤＣコンバータ２３」から供給される電力の総和である。
　また、引用発明の「制御装置３」は、直流分電盤２の給電能力を給電装置１に送信していることから、上記電力の総和を示すデータに基づき給電能力を算出していることは明らかである。
　さらに、引用発明は、「給電装置１」が直流分電盤２の「給電能力」を超えない範囲で直流電力を電気自動車Ｃに供給することから、引用発明の直流分電盤２の「給電能力」は、「給電装置１」が供給可能な電力としての出力であるともいえる。ここで、直流分電盤２の「給電能力」がデータであることは明らかであるから、引用発明の「給電能力」は、本願発明の「供給可能出力データ」に相当する。
　してみれば、本願発明の「電力管理装置」と引用発明の「制御装置３」は、「蓄電池」及び「電源」から「供給され得る電力の総和を示すデータに基づき」、「充電装置の供給可能出力を示す電力値としての供給可能出力データ」を「算出」している点で共通する。
（８）引用発明の「給電装置１」は、電源制御回路１１によって、給電情報と給電能力（上記「供給可能出力データ」）とを比較して、給電電圧及び「給電電流」により直流電力を設定し、電源制御回路１１によって、設定した給電電圧及び「給電電流」に基づきＤＣ／ＤＣコンバータ１３を制御しているから、ＤＣ／ＤＣコンバータ１３を制御する「給電電流」は、「供給可能出力内」の「電流値を示す電流値データ」である。また、「給電電流」は、電気自動車Ｃに供給する電流であるから、電気自動車Ｃの充電に必要な電流値を示す電流データでもある。
　上記（５）も踏まえると、本願発明の「充電装置」と引用発明の「給電装置１」は、「供給可能出力データによって示される前記充電装置の供給可能出力内であって、且つ、充電に必要な電流値を示す」「電流値データによって示される電流値による電力を、前記電気自動車に充電させる」点で共通する。
　ただし、当該電流値データについて、本願発明は、充電装置に「コンピュータ」が「搭載」され、その「コンピュータ」が「供給可能出力データを電気自動車へ送信し、送信した前記供給可能出力データによって示される前記充電装置の供給可能出力内であって、且つ、充電に必要な電流値を示す電流値データ」を「前記電気自動車から受信」しているのに対し、引用発明は、充電装置で電流値データを設定しているため、そのようなコンピュータによって電流値データを受信していない点で相違する。 
（９）引用発明は「蓄電池７」、「電源」、「制御装置３」及び「給電装置１」を有しているから、本願発明の「充電システム」に相当する。そのため、引用発明の「給電装置１」は、本願発明の「充電システムの充電装置」に相当する。
　以上のことから、本願発明と引用発明との一致点及び相違点は、次のとおりである。
［一致点］
「蓄電池と、
　電源と、
　前記蓄電池及び前記電源から供給される電力を管理する電力管理装置と、
　を備えた充電システムの充電装置であって、
　ここで、前記電力管理装置は、前記蓄電池及び前記電源から供給され得る電力の総和を示す電力データに基づき、前記充電装置の供給可能出力を示す電力値としての供給可能出力データを算出しており、
　前記供給可能出力データによって示される前記充電装置の供給可能出力内であって、且つ、充電に必要な電流値を示す電流値データによって示される電流値による電力を、前記電気自動車に充電させる
　充電装置。」
［相違点１］ 
　電力を供給している「電源」が、本願発明は「低圧受電設備」であるのに対し、引用発明は、その旨特定されていない点。
  
［相違点２］ 
　電流値データについて、本願発明は、充電装置に「コンピュータ」が「搭載」され、その「コンピュータ」が「供給可能出力データを電気自動車へ送信し、送信した前記供給可能出力データによって示される前記充電装置の供給可能出力内であって、且つ、充電に必要な電流値を示す電流値データ」を「前記電気自動車から受信」しているのに対し、引用発明は、充電装置で電流値データを設定しているため、そのようなコンピュータによって電流値データを受信していない点。
２．判断
　上記相違点１，２について検討する。
（１）相違点１について
　電気自動車に電力を供給する電源として、低圧受電設備を用いることは周知である（例えば、本田一晃，５０ｋＷ大容量急速充電器の設計技術，グリーン・エレクトロニクスＮｏ４（２０１１），ＣＱ出版社の第５頁左欄第２行−第２３行を参照）。 
　してみれば、引用発明において、電力を供給する電源として、上記周知技術を採用して、商用交流の電源に代えて低圧受電設備にすることで、上記相違点の構成にすることは、当業者が容易に想到し得るものである。
（２）相違点２について
　引用文献３には、充電システムにおいて、充電器１００の制御部１０６が、最大印加可能電圧値及び供給可能な最大出力電流値が含まれる充電器情報を電気自動車２００に送信し、電気自動車２００の制御部２０５において、充電器情報に含まれる最大印加電圧値が適正な値であれば、車載バッテリ２０３が充電器１００に適合すると判断し、充電器情報に含まれる最大出力電流値と、車載バッテリ２０３に印加可能な最大電流値とを比較し、これらのうち値の小さな電流値を充電電流上限値として設定し、そして車載バッテリ２０３の電圧値と予め定められた充電パターン等に基づき、充電電流上限値以下の電流値を充電電流指示値に決定し、さらに、充電器１００の制御部１０６が、充電器１００の充電電流を制御する充電電流指示値を電気自動車２００から受信することが記載（上記「第４」の「２．」を参照）されている。
　ここで、引用文献３の「電気自動車２００」は、本願発明でいう「電気自動車」のことであり、引用文献３の「充電器１００の制御部１０６」は、充電器情報を電気自動車２００へ送信し、充電電流指示値を電気自動車２００から受信していることから、本願発明でいう充電装置に搭載された「コンピュータ」に相当する手段といえる。さらに、引用文献３の「充電器情報」は、充電器から供給できる最大印加可能電圧値及び最大出力電流値のことであるから、本願発明でいう「供給可能出力データ」である。
　また、引用文献３の「充電電流指示値」は、充電器情報に含まれる最大出力電流値と、車載バッテリ２０３に印加可能な最大電流値とを比較し、これらのうち値の小さな電流値を充電電流上限値としているため、本願発明でいう「供給可能出力内」の「電流値データ」である。そして、引用文献３の「充電電流指示値」は、充電電流を指示するための値でもあるから、本願発明でいう「充電に必要な電流値を示す」「電流値データ」でもある。
　なお、平成３１年２月１８日提出の意見書において、請求人は「引用文献には、供給可能な出力を電流値として電気自動車に送信することが開示されているものの、電力値として電気自動車に送信することは記載されておりません。」と主張している。
　しかしながら、引用文献３の「充電器情報」は、充電器の供給可能出力を示す電力値の情報が含まれることについては記載されていないものの、当該電力値の情報を、充電器情報に含まれる「最大印加可能電圧値」と「最大出力電流値」の積によって示すことは普通のことであるから、充電器情報には、充電器からの供給可能出力を示す電力値の情報に相当する情報が含まれるいるといえる。してみれば、引用文献３は、供給可能な出力を電力値に相当する値（充電器情報）とし、その値を電気自動車に送信している。
　そうすると、引用文献３は、充電装置に「コンピュータ」を「搭載」し、その「コンピュータ」によって、「供給可能出力データを電気自動車へ送信し、送信した前記供給可能出力データによって示される前記充電装置の供給可能出力内であって、且つ、充電に必要な電流値を示す電流値データ」を「電気自動車から受信」するものといえる。
　そして、電気自動車の充電においては、「電流値データ」の設定は、電気自動車側で行うか、充電装置側で行うかのいずれかが考えられるところ、引用発明において、「電流値データ」を設定するために、電気自動車の「給電情報」を充電装置に送信して充電装置側で設定する代わりに、引用文献３に記載のように、電気自動車側で設定するようにすること、具体的には、充電装置に「コンピュータ」を「搭載」し、その「コンピュータ」によって、「供給可能出力データを電気自動車へ送信し、送信した前記供給可能出力データによって示される前記充電装置の供給可能出力内であって、且つ、充電に必要な電流値を示す電流値データ」を「電気自動車から受信」することで、上記相違点の構成にすることも、当業者が適宜なし得るものである。
（３）まとめ
　以上のとおりであるから、本願の請求項２に係る発明は、引用発明及び引用文献３に記載の技術事項並びに周知技術に基づいて、当業者が容易に発明をすることができたものである。
第６　むすび
　以上のとおり、本願の請求項２に係る発明は、引用発明及び引用文献３に記載の技術事項並びに周知技術に基づいて、当業者が容易に発明をすることができたものであるから、特許法第２９条第２項の規定により特許を受けることができない。
　したがって、本願は、その余の請求項について論及するまでもなく拒絶すべきものである。